(57)【要約】【課題】回転仕切り板と容器本体の内面との密閉性を向上し、内容物を確実に吐出できる吐出容器を提供する【解決手段】支柱部１６と固定仕切り板を有する容器本体１０と、支柱部１６に回転自在に外嵌する軸筒片２１及び回転仕切り板２５を設けた回転体２０と、吐出孔３３が形成された天板部３１を有する蓋体３０とを備え、固定仕切り板、回転仕切り板２５、底面１１Ａ、内周面１２Ａ、天板部３１とで収容室を画成し、回転体２０を回転させて収容室を減容し、吐出孔３３を通じて内容物を吐出する吐出容器であって、回転仕切り板２５の径方向外方端から下端にわたってゴム状弾性体からなる摺動部材２６が設けられ、容器本体１０の内周面１２Ａ又は摺動部材２６の径方向外方端面の少なくとも一方は、粗面とされており、収容室内の内容物を吐出する際、摺動部材２６を径方向内方に弾性変形させつつ、容器本体１０の内周面１２Ａに摺接させる。【選択図】図４
2008056306.tif 000002
【特許請求の範囲】
【請求項１】
軸線に沿って延びる有底円筒状をなし、その底面から前記軸線に沿って立設する支柱部及び内周面から径方向内方に向けて延び切る固定仕切り板を有する容器本体と、前記支柱部に回転自在に外嵌する軸筒片を有し、該軸筒片の外周面から径方向外方に向けて延びる回転仕切り板を設けた回転体と、吐出孔が形成された天板部を有し、前記容器本体の上端開口部を塞ぐ蓋体と、を備え、
これら固定仕切り板と、回転仕切り板と、容器本体の底面及び内周面と、蓋体の天板部とで収容室を画成し、容器本体と回転体とを前記軸線回りに相対的に回転させて前記収容室を減容し、前記吐出孔を通じてこの収容室内の内容物を外部に吐出する構成とされた吐出容器であって、
前記回転仕切り板には、その径方向外方端から下端にわたってゴム状弾性体からなる摺動部材が設けられ、この摺動部材の端面が前記容器本体の内周面及び底面に当接され、
前記容器本体の内周面又は前記摺動部材の径方向外方端面の少なくとも一方は、粗面とされており、
前記収容室内の内容物を外部に吐出する際、前記摺動部材を径方向内方に弾性変形させつつ、容器本体の内周面に摺接させることを特徴とする吐出容器。
【請求項２】
請求項１に記載の吐出容器において、
前記容器本体の前記底面又は前記摺動部材の下端面の少なくとも一方は、粗面とされていることを特徴とする吐出容器。
【発明の詳細な説明】
【技術分野】
【０００１】
本発明は、容器本体に収容された内容物を外部へと吐出させて取り出す吐出容器に関するものである。
【背景技術】
【０００２】
前述の吐出容器は、化粧料や医薬品等で使用されるクリーム、軟膏、ゲル状の内容物を収容する容器として使用されている。このような吐出容器は、例えば特許文献１に示すように、有底筒状をなす容器本体と、容器本体の内部空間を仕切る固定仕切り板と、この固定仕切り板と並置される回転仕切り板と、これら固定仕切り板及び回転仕切り板の上端に当接される天板部を有する蓋体とを備えている。
【０００３】
そして、容器本体の底面と固定仕切り板と回転仕切り板と天板部とで収容室を画成し、回転仕切り板を回転させることで収容室を減容して、収容室内の内容物を天板部に形成された吐出孔から吐出する構成とされている。
【特許文献１】実公昭６２−８８３９号公報
【発明の開示】
【発明が解決しようとする課題】
【０００４】
ところで、前述の吐出容器においては、回転仕切り板を回転させて収容室内を減容させ、内容物を吐出孔から吐出する構成とされているので、収容室の密閉性が劣ると吐出孔から所定量の内容物を吐出させることができなくなる。特に、容器本体の内周面に摺接する回転仕切り板の径方向外方端での密閉性が問題となる。
【０００５】
ここで、密閉性を向上させるために、回転仕切り板の径方向外方端を容器本体の内周面に強く圧接させることが考えられる。しかし、この場合には、回転仕切り板の径方向外方端と容器本体の内周面との摩擦抵抗が大きくなって内容物を吐出させるために回転体を回転させることが困難となり、吐出容器の操作性が劣ってしまう。
【０００６】
本発明は、前述した事情に鑑みてなされたものであって、回転仕切り板の周縁部と容器本体の内面との密閉性を向上させて、内容物を確実に吐出させることができる吐出容器を提供することを目的とする。
【課題を解決するための手段】
【０００７】
この課題を解決するために、本発明の吐出容器は、軸線に沿って延びる有底円筒状をなし、その底面から前記軸線に沿って立設する支柱部及び内周面から径方向内方に向けて延び切る固定仕切り板を有する容器本体と、前記支柱部に回転自在に外嵌する軸筒片を有し、該軸筒片の外周面から径方向外方に向けて延びる回転仕切り板を設けた回転体と、吐出孔が形成された天板部を有し、前記容器本体の上端開口部を塞ぐ蓋体と、を備え、これら固定仕切り板と、回転仕切り板と、容器本体の底面及び内周面と、蓋体の天板部とで収容室を画成し、容器本体と回転体とを前記軸線回りに相対的に回転させて前記収容室を減容し、前記吐出孔を通じてこの収容室内の内容物を外部に吐出する構成とされた吐出容器であって、前記回転仕切り板には、その径方向外方端から下端にわたってゴム状弾性体からなる摺動部材が設けられ、この摺動部材の端面が前記容器本体の内周面及び底面に当接され、前記容器本体の内周面又は前記摺動部材の径方向外方端面の少なくとも一方は、粗面とされており、前記収容室内の内容物を外部に吐出する際、前記摺動部材を径方向内方に弾性変形させつつ、容器本体の内周面に摺接させることを特徴としている。
【０００８】
この構成の吐出容器によれば、回転仕切り板にゴム状弾性体からなる摺動部材が設けられており、収容室内の内容物を外部に吐出する際、この摺動部材を径方向内方に弾性変形させつつ、容器本体の内周面に摺接させるので、この吐出時に摺動部材を容器本体の内周面に面接触させることが可能になる。しかも、容器本体の内周面又は前記摺動部材の径方向外方端面の少なくとも一方が微小な凹凸が形成された粗面とされているので、摺動部材と容器本体の内周面とが前記粗面の微小な凹凸に沿って弾性変形して当接されることになる。このため、前記摺動部材と容器本体の内周面との接触面積が大きくなり、回転仕切り板と容器本体の内周面との密閉性を向上させることができる。さらに、摺動部材と容器本体の内周面との摩擦抵抗が小さくなって内容物を吐出させるために回転体を回転させることが容易となり、吐出容器の操作性が向上する。
【０００９】
また、前記容器本体の前記底面又は前記摺動部材の下端面の少なくとも一方を、微小な凹凸が形成された粗面とすることにより、容器本体の底面においても、回転仕切り板に配置されたゴム状弾性体からなる摺動部材と前記底面との接触面積が大きくなり、回転仕切り板と容器本体の底面との密閉性を向上させることができる。
【発明の効果】
【００１０】
本発明によれば、回転仕切り板と容器本体の内面との密閉性を向上させることができ、収容室内に収容されている内容物を吐出孔から確実に吐出させることができる。
【発明を実施するための最良の形態】
【００１１】
以下に、本発明の実施形態について添付した図面を参照して説明する。図１から図４に、本発明の実施形態である吐出容器を示す。
本実施形態である吐出容器１は、中心軸線Ｏに沿って延びる概略有底円筒状をなす容器本体１０と、容器本体１０内に回転可能に配置された回転体２０と、容器本体１０の開口部を塞ぐように配置される蓋体３０と、蓋体３０の上から被せられるオーバーキャップ４０とを備えている。
【００１２】
容器本体１０は、底板部１１と周壁部１２とを有し、周壁部１２の上端部分には、径方向外方に向けて突出した係止部１３Ａを備えた係止筒部１３が形成されている。また、容器本体１０には、前記係止筒部１３の下端部分から径方向外方に向けて突出するとともに下方に向けて延びる外筒部１４が設けられており、この外筒部１４の下端面が接地される構成とされている。さらに、外筒部１４の上端部分には、オーバーキャップ４０が被着される雌ネジ部１５が形成されている。
また、容器本体１０の底板部１１には、底板部１１の底面１１Ａから中心軸線Ｏに沿って延びる支柱部１６が立設されている。この支柱部１６の突出高さは、前記周壁部１２の高さの１／２程度とされている。
【００１３】
さらに、容器本体１０には、その内周面１２Ａ（周壁部１２の内面）から径方向内方に向けて延びて、容器本体１０の内部空間を仕切る固定仕切り板１７が設けられている。この固定仕切り板１７の径方向内方端と前記支柱部１６の外周面との間には僅かな空隙が形成されている。なお、固定仕切り板１７と底面１１Ａとの間には空隙が形成されていない。この固定仕切り板１７は、図２及び図３に示すように、径方向外方から内方に向かうにしたがい周方向の幅が漸次小さくされて概略三角柱状をなしている。固定仕切り板１７の一方側（図２、図３において矢印Ｔ方向前方側）の側壁面１７Ａには、一段凹んだ凹部１８が形成されている。
【００１４】
そして、容器本体１０の内周面１２Ａ（周壁部１２の内面）及び底板部１１の底面１１Ａは、例えばサンドブラスト加工等の粗面加工によって微小な凹凸が形成された粗面とされている。なお、容器本体１０を合成樹脂で構成した場合には、この容器本体１０を成形する金型の表面にサンドブラスト加工等の粗面加工を施して、容器本体１０の内周面１２Ａ（周壁部１２の内面）及び底板部１１の底面１１Ａを微小な凹凸が形成された粗面とすることができる。
【００１５】
回転体２０は、容器本体１０に立設された支柱部１６に回転自在に外嵌される円筒状の軸筒片２１を有している。この軸筒片２１は、下方に向けて開口される第１筒部２２と上方に向けて開口されるとともに第１筒部２２よりも一段小径とされた第２筒部２３とを備えており、第１筒部２２が前記支柱部１６に外嵌されている。また、第２筒部２３には、キー溝２３Ａが形成されている。なお、この軸筒片２１の肉厚は、前記固定仕切り板１７の径方向内方端と前記支柱部１６の外周面との間に形成された空隙の幅と略同一とされている。また、この軸筒片２１の下端部分には、例えばオレフィン系、スチレン系、ポリエステル系等の熱可塑性のエラストマで構成された摺接部２４が形成されている。
【００１６】
この回転体２０には、軸筒片２１の外周面から径方向外方に向けて延びて容器本体１０の固定仕切り板１７と並置される回転仕切り板２５が、軸筒片２１の全高さにわたって設けられている。  
そして、回転仕切り板２５の径方向外方端及び下端には、例えばオレフィン系、スチレン系、ポリエステル系等の熱可塑性のエラストマで構成された摺動部材２６が設けられている。この摺動部材２６は、回転仕切り板２５の他方側（図２、図３において矢印Ｔ方向後方側）の側壁面２５Ｂから組み付けられており、回転仕切り板２５の一方側（図２、図３において矢印Ｔ方向前方側）の側壁面２５Ａの縁部にのみ露呈されている。
【００１７】
蓋体３０は、概略円板状をなす天板部３１と天板部３１から垂下される軸部３２とを有している。天板部３１には、その厚さ方向に貫通した吐出孔３３が形成されている。また、天板部３１の周縁部は上方に向けて立設されている。さらに、軸部３２は、前記回転体２０の軸筒片２１の第２筒部２３に嵌入可能とされており、軸部３２の外周面には、前記キー溝２３Ａに挿入されるキー部３２Ａが形成されている。このキー部３２Ａとキー溝２３Ａとの係合により、蓋体３０を回転させることで回転体２０も回転するように構成されている。
【００１８】
また、天板部３１の下方側には、径方向外方に一段突出するとともに、下方側に向けて延びる取付筒部３４が形成されている。この取付筒部３４の内径は、容器本体１０の前記係止筒部１３の外径よりも一段大きくされており、取付筒部３４の下端部分に、前記係止筒部１３の係止部１３Ａと係合可能な係合部３４Ａが形成されている。
【００１９】
次に、この吐出容器１の組み立て方法について説明する。容器本体１０の支柱部１６に回転体２０の軸筒片２１（第１筒部２２）を嵌合させ、容器本体１０内において回転仕切り板２５と固定仕切り板１７とを並置する。容器本体１０及び回転仕切り板２５の上端面にパッキン４１を配置する。蓋体３０の軸部３２を軸筒片２１の第２筒部２３に挿入する。この際、キー溝２３Ａとキー部３２Ａとが互いに係合される。ここで、蓋体３０の取付筒部３４を容器本体１０の前記係止筒部１３に被せて係合部３４Ａと係止部１３Ａとを互いに係合させる。さらに、蓋体３０の上からオーバーキャップ４０を被着することで吐出孔３３が塞がれる。
【００２０】
こうして、容器本体１０の周壁部１２、固定仕切り板１７及び回転仕切り板２５の上端にパッキン４１を介して蓋体３０の天板部３１が当接され、固定仕切り板１７の内周端が軸筒片２１の外周面に当接され、回転仕切り板の摺動部材２６が容器本体１０の底面１１Ａ及び内周面１２Ａに摺接されて、これら固定仕切り板１７と、回転仕切り板２５と、容器本体１０の底面１１Ａ及び内周面１２Ａと、蓋体３０の天板部３１とで囲まれた部分に収容室Ｒが画成される。
【００２１】
この収容室Ｒに、クリーム、軟膏、ゲル状の内容物が充填される。なお、収容室Ｒに内容物が充填されている状態においては、図２に示すように、回転仕切り板２５の他方の側壁面２５Ｂと固定仕切り板１７の一方の側壁面１７Ａとが対向するように配置され、回転仕切り板２５の他方の側壁面２５Ｂから組み付けられた摺動部材２６が、固定仕切り板１７の一方の側壁面１７Ａに形成された凹部１８内に配置されている。
【００２２】
このような構成とされた吐出容器１では、蓋体３０を図２、図３に示す矢印Ｔ方向に回転させることで、回転仕切り板２５も矢印Ｔ方向に向けて回転することになり、収容室Ｒの容積が徐々に小さくなる。これにより、内容物が圧迫されて吐出孔３３を通じて外部へと吐出される。
【００２３】
ここで、本実施形態である吐出容器１においては、回転仕切り板２５の径方向外方端から下端にわたって配置された熱可塑性のエラストマからなる摺動部材２６が径方向内方に弾性変形されつつ容器本体１０の内周面１２Ａに摺接されるので、摺動部材２６を容器本体１０の内周面１２Ａに面接触させることができる。
さらに、容器本体１０の内周面１２Ａ（周壁部１２の内面）及び底面１１Ａが、微小な凹凸が形成された粗面とされているので、摺動部材２６が容器本体１０の内周面１２Ａ及び底面１１Ａの微小な凹凸に沿って弾性変形して当接され、摺動部材２６と容器本体１０の内周面１２Ａ及び底面１１Ａとの接触面積が大きくなり、回転仕切り板２５と容器本体１０との密閉性を向上させることができる。したがって、回転仕切り板２５を回転させた際に、容器本体１０内に内容物が残存することなく、内容物を確実に吐出孔３３を介して外部へと吐出させることができる。
【００２４】
また、容器本体１０の内周面１２Ａ及び底面１１Ａが粗面とされているので、摺動部材２６と容器本体１０の内周面１２Ａ及び底面１１Ａとの摩擦抵抗が小さくなり、内容物を吐出させるために回転体２０を回転させることが容易となり、この吐出容器１の操作性が向上する。
さらに、摺動部材２６が、回転仕切り板２５の他方の側壁面２５Ｂから組み付けられ、回転仕切り板２５の一方側の側壁面２５Ａの縁部にのみ露呈されているので、回転仕切り板２５の剛性が確保され、内容物を確実に圧迫して吐出孔３３から吐出させることができる。
また、回転体２０の軸筒片２１の下端部に摺接部２４が設けられているので、軸筒片２１の下端部と底板部１１の底面１１Ａとの密閉性を向上させることができる。
【００２５】
以上、本発明の一実施形態である吐出容器について説明したが、本発明の技術的範囲はこれに限定されることはなく、本発明の技術的思想を逸脱しない範囲で適宜変更可能である。
例えば、容器本体に外筒部を設けて外筒部の下端面を接地させる構成としたが、外筒部を設けずに底板部を接地させる構成としてもよい。
【００２６】
また、回転体の軸筒片に形成されたキー溝と蓋体の軸部に形成されたキー部との係合により回転体と蓋体とを回転させる構成としたが、これに限定されることはない。例えば、角孔と方形軸との嵌合やスプライン軸等を用いてもよく、蓋体と回転体とが一体に回転される構成とされていてもよい。
さらに、蓋体を、天板部と取付筒部とを一体成形したもので説明したが、これに限定されることはなく、取付筒部と天板部とをそれぞれ別体に成形し、取付筒部を被着することで天板部を容器本体に固定する構成としてもよい。
【００２７】
さらに、容器本体の内周面及び底面を、微小な凹凸を有する粗面としたもので説明したが、これに限定されることはなく、容器本体の内周面又は摺動部材の径方向外方端面の少なくとも一方が粗面とされていればよい。また、容器本体の底面又は摺動部材の下端面の少なくとも一方が粗面とされていればよい。
【産業上の利用可能性】
【００２８】
回転仕切り板の周縁部と容器本体の内面との密閉性をさらに向上させて、内容物を確実に吐出させることができる吐出容器を提供する。
【図面の簡単な説明】
【００２９】
【図１】本発明の実施形態である吐出容器の分解斜視図である。
【図２】図１に示す吐出容器において、内容物が充填された状態を示す上面図である。
【図３】図１に示す吐出容器において、内容物を取り出した状態を示す上面図である。
【図４】図１に示す吐出容器の縦断面図である。
【符号の説明】
【００３０】
１  吐出容器
１０  容器本体
１１Ａ  底面
１２Ａ  内周面
１６  支柱部
１７  固定仕切り板
２０  回転体
２１  軸筒片
２５  回転仕切り板
２６  摺動部材
３０  蓋体
３１  天板部
３３  吐出孔
【図１】
2008056306.tif 000003
【図２】
2008056306.tif 000004
【図３】
2008056306.tif 000005
【図４】
2008056306.tif 000006